(57)【要約】【課題】通常は人が上り下りする階段として使用でき、重い荷物を運ぶ場合や、身体の不自由な人が移動する場合には各段を上り下りすることなく階段ごと上昇、下降して移動できる。【解決手段】建物の吹き抜け部１に設置される階段２である。階段２の各段３が上下に昇降自在となっている。各段３がすべて上昇した状態で各段の踏み板４が上階の床５と面一となり、下降状態においては上階の床５側の踏み板４が上階の床５から一段下がり且つ上階の床５から離れるにしたがって一段ずつ段差ができるように階段２状となり且つ階段２の最下段３ａの踏み板４ａが下降状態で下階の床６と面一となるように設定する。【選択図】　　　　図１
2004026404.tif 000002
【特許請求の範囲】
【請求項１】
建物の吹き抜け部に設置される階段において、該階段の各段が上下に昇降自在となり、各段がすべて上昇した状態で各段の踏み板が上階の床と面一となり、下降状態においては上階の床側の踏み板が上階の床から一段下がり且つ上階の床から離れるにしたがって一段ずつ段差ができるように階段状となり且つ階段の最下段の踏み板が下降状態で下階の床と面一となるように設定して成ることを特徴とする階段昇降装置。
【請求項２】
階段の最下段の踏み板を下降状態で下階の床と面一となるように設定し、この最下段の踏み板を少なくとも車椅子が乗る大きさ以上として成ることを特徴とする請求項１記載の階段昇降装置。
【請求項３】
階段の最下段が上昇した状態で該最下段の外周辺のうち隣接する段と接する辺以外のいずれかの辺と吹き抜け部の内壁面との間に人が昇降できる非常脱出用スペースを設け、最下段の上記非常脱出用スペースに面した最下段の辺に最下段が上昇した際に上昇し且つ最下段が下降した際に下降する脱出用はしごを設けて成ることを特徴とする請求項１又は請求項２記載の階段昇降装置。
【請求項４】
階段の最下段の踏み板の下階の床への出入り用の辺に開閉自在に手摺りを設けて成ることを特徴とする請求項１乃至請求項３のいずれかに記載の階段昇降装置。
【発明の詳細な説明】
【０００１】
【発明の属する技術分野】
本発明は、階段昇降装置に関するものである。
【０００２】
【従来の技術】
従来の階段は下階の床と上階の床との間に固定的に取付けられ、この固定的に取付けられた階段を人が各段を一段ずつ上り下りして下階から上階に上り、また、上階から下階に下りるようにしている。
【０００３】
ところが、重い荷物を持って階段を上下するのは大変であった。また、身体、特に足が不自由な人は階段を上り下りするのは大変であり、車椅子に乗った人は階段を使用して上階に上ることはできないという問題があった。
【０００４】
そこで、重い荷物を運んだり、身体が不自由な人が下階から上階、上階から下階に移動するために階段とは別にエレベータを設けることが考えられるが、住宅において階段とは別にエレベータを設置するには階段とは別にエレベータ設置用スペースが必要であり、住宅の平面プランに制約があり、また、余分なスペースも必要となるという問題がある。
【０００５】
【発明が解決しようとする課題】
本発明は上記の点に鑑みてなされたものであり、通常は人が上り下りする普通の階段として使用でき、重い荷物を運ぶ場合や、身体の不自由な人が移動する場合には各段を上り下りすることなく階段ごと上昇、下降して移動でき、また、上昇、下降の際における転落を防止することができ、更に、階段が上昇している時に、上階から下階に非常脱出することも可能となる階段昇降装置を提供することを課題とするものである。
【０００６】
【課題を解決するための手段】
上記課題を解決するために本発明に係る階段昇降装置は、建物の吹き抜け部１に設置される階段２において、該階段２の各段３が上下に昇降自在となり、各段３がすべて上昇した状態で各段の踏み板４が上階の床５と面一となり、下降状態においては上階の床５側の踏み板４が上階の床５から一段下がり且つ上階の床５から離れるにしたがって一段ずつ段差ができるように階段状となり且つ階段２の最下段３ａの踏み板４ａが下降状態で下階の床６と面一となるように設定して成ることを特徴とするものである。このような構成とすることで、通常時は階段２を下降して各段３を階段状にして一般の階段と同様にして各段３を上り下りして使用するものであり、重い荷物を持って下階から上階あるいは上階から下階に移動する場合や、身体の不自由な人、車椅子に乗った人が下階から上階あるいは上階から下階に移動する場合は、下階の床６から最下段３ａの踏み板４ａ上に移動して乗った状態で各段３を上昇させて各段３を上階の床５と面一にして上階の床５に移動したり、あるいは、各段３を上昇させて各段３を上階の床５と面一にした状態で上階の床５から上昇した最下段３ａの踏み板４ａに移動して乗り、この状態で各段３を下降して最下段３ａの踏み板４ａを下階の床６と面一にして下階の床６に移動することができるものである。
【０００７】
また、階段２の最下段３ａの踏み板４ａを下降状態で下階の床６と面一となるように設定し、この最下段３ａの踏み板４ａを少なくとも車椅子が乗る大きさ以上とすることが好ましい。このような構成とすることで、車椅子に乗った人であっても、最下段３ａの踏み板４ａに乗って上下することで下階の床６から上階の床５へ、また、上階の床５から下階の床６へと移動することができるものである。
【０００８】
また、階段２の最下段３ａが上昇した状態で該最下段３ａの外周辺のうち隣接する段３と接する辺以外のいずれかの辺と吹き抜け部１の内壁面１ａとの間に人が昇降できる非常脱出用スペース７を設け、最下段３ａの上記非常脱出用スペース７に面した最下段３ａの辺に最下段３ａが上昇した際に上昇し且つ最下段３ａが下降した際に下降する脱出用はしご８を設けることが好ましい。このような構成とすることで、階段２が上昇している状態で、上階から下階に脱出する必要がある場合、非常脱出用スペース７において脱出用はしご８を利用して脱出することができるものである。
【０００９】
また、階段２の最下段３ａの踏み板４ａの下階の床６への出入り用の辺に開閉自在に手摺り９を設けることが好ましい。このような構成とすることで、下階の床６から最下段３ａの踏み板４ａに移動した後に、踏み板４ａの下階の床６への出入り用の辺を手摺り９で閉じることで最下段３ａの踏み板４ａ上に乗って昇降する際に踏み板４ａの下階の床６への出入り用の辺から転落するのを防止できることになる。
【００１０】
【発明の実施の形態】
以下、本発明を添付図面に示す実施形態に基づいて説明する。
【００１１】
図１乃至図５に示すように、建物の吹き抜け部１に階段２が設置してある。この階段２は各段３がブロック化してあり、昇降装置１０によりブロック化された各段３が上下に移動自在となっている。ブロック化した各段３は最下段３ａと、最下段３ａ以外の段３とに大別される。すなわち、最下段３ａ以外の段３はそれぞれ踏み板４と蹴込み部１１とを備えたブロックであって、下降して階段状となった場合に最下段３ａ以外の各段３はそれぞれ踏み板４と蹴込み部１１とが露出するが、最下段３ａは踏み板４のみが露出するようになっている。また、最下段３ａの踏み板４ａは他の段３の踏み板４よりも平面視における大きさが大きいものである。好ましくは最下段３ａの踏み板４ａは少なくとも車椅子が乗る大きさ以上となっている。
【００１２】
図６に示すように、最下段３ａを除く各段３の縦板状をした蹴込み部１１の下端部から下方に向けて前脚部１２が垂設してあり、前脚部１２の背面部の下端から蹴込み部１１の背面部の上端にかけて縦リブ１２ａが一体に突設してある。また、最下段３ａを含む各段３の後端部には後脚部１３が設けてあり、後脚部１３の下端部には背面部に断面コ字状をしたガイド用支持部１４が設けてある。踏み板４からガイド用支持部１４までの距離は蹴込み部１１の上下長さと等しくなっている。
【００１３】
前脚部１２は下の段３の後脚部１３のガイド用支持部１４内に上下移動自在にはめ込んであり、下の段３が上昇した状態で下の段３の踏み板４と上の段３の踏み板４とが面一となった状態で上の段の蹴込み部１１の下端がガイド用支持部１４の上端に当接するように設定してあり、下の段３が下降した状態で上の段３の前脚部１２の下端部がガイド用支持部１４内にちょうど位置するようになっている。
【００１４】
最下段３ａを含む各段３は前述のように昇降装置１０により上下移動自在となっている。添付図面に示す実施形態においては、最下段３ａを含む各段３はそれぞれ昇降装置１０を構成するシリンダ装置１０ａにより上下移動自在となっている。ここで、各段３を上下移動するためのシリンダ装置１０ａは下の段３側ほど上下移動のストロークが段階的に長くなっており、最下段３ａが最も上下移動のストロークが長くてそのストローク長は下階の床６から上階の床７までの長さとなっている。
【００１５】
上記の構成の階段２は通常は図１、図２のように階段状をしており、この状態では最下段３ａの踏み板４ａが下階の床６と面一となるように設定してある。一方、図１、図２の状態で各段３を昇降装置１０を構成する各シリンダ装置１０ａにより上昇させると、最下段３ａを含む各段３の踏み板４がそれぞれ図３、図４に示すように上階の床５と面一となるように設定してある。
【００１６】
階段２の最下段３ａが上昇した状態で該最下段３ａの外周辺のうち隣接する段３と接する辺以外のいずれかの辺と吹き抜け部１の内壁面１ａとの間に人が昇降できる非常脱出用スペース７を設けてある。最下段３ａの上記非常脱出用スペース７に面した最下段３ａの辺に最下段３ａが上昇した際に上昇し且つ最下段３ａが下降した際に下降する脱出用はしご８を設けてある。すなわち、該脱出用はしご８は、複数の桁用リンク１５をそれぞれ上下方向にバー１６により回動自在に連結してはしご８を構成してあり、最上端の桁用リンク１５の上端部を最下段３ａの踏み板４ａにそれぞれ軸により回動自在に取付けてあり、また、最下端の桁用リング１５の下端部を下階の床６の下方に設けられた床下の基材５０に軸により回動自在に取付けてある。この脱出用はしご８は最下段３ａが下降すると図４のように折り畳まれ、最下段３ａが上昇すると図１、図２のように展延してはしご形状となるものである。
【００１７】
階段２の最下段３ａの踏み板４ａの下階の床６への出入り用の辺には開閉自在に手摺り９が設けてあり、添付図面に示す実施形態では該手摺り９は踏み板４ａに対して上下移動自在に取付けてある。
【００１８】
図１、図８に示すように、階段２の最下段３ａの踏み板４ａの下階の床６への出入り用の辺に沿って長孔１７が設けてあり、この長孔１７に手摺り９が上下移動自在にはめ込んである。長孔１７の両端部の上部には受け用凹溝１８が設けてあり、長孔１７の両端部の下部には受け用凹溝１８が設けてある。手摺り９は両側端面の上端部に上ストッパ１９が設けてあり、通常は手摺り９は自重で下降していて上ストッパ１９が受け用凹溝１８に当たって、それ以上下方に落下しないようになっており、この状態では手摺り９の上面が踏み板４ａの上面と面一となるようにしてある。手摺り９上端面部には起倒自在な把手２２が設けてあり、該把手２２を起立させて手で掴んで上に引き上げることで手摺り９を上に持ち上げ、この状態で手摺り９を手で持って上に引き上げることができるようになっている。手摺り９の両側下部にはラッチ２０が内外方向に出没自在に設けてある。このラッチ２０はばね２１により外方に突出するばね力が付与してある。ラッチ２０の上面は外側部程下となるように下り傾斜している。したがって、手摺り９を上に引き上げるとラッチ２０が傾斜にガイドされて後退し、受け用凹溝１８のところでばね２１のばね力により外方に突出して受け用凹溝１８にラッチ２０が入り込み、この状態で手摺り９の上方への引き上げを止めると、ラッチ２０の下面が受け用凹溝１８の溝下面に当たって手摺り９が下方に落下するのが防止され、手摺り９の上方への引き上げ状態が保持される。
【００１９】
図７、図８、図９に示すように、手摺り９の上部の前面又は後面には溝２４が設けてあり、溝２４内に上下移動自在にハンドル２５が内装してあり、該上下移動自在なハンドル２５はばね２６により下方に弾性付勢してある。ハンドル２５の上部には上方に向けて突部２７が突設してある。手摺り９内にはハンドル２５の上方位置に横軸を中心にして垂直面内で回転自在な円板よりなる回動板２８が設けてあり、回動板２８の上下部にそれぞれ左右両側のレバー２９の一端部がそれぞれ回動自在に枢支してあり、該レバー２９の他端部がラック部３０となっている。回動板２８の側部には突出部３１が設けてあり、手摺り９の両側部内には回転縦軸３２が回動自在に取付けてある。回転縦軸３２の上端部にはラック部３０に噛み合うピニオン３３が設けてあり、回転縦軸３２の下端部には腕部３４が突設してあり、腕部３４から操作用突部３５が突設してあり、操作用突部３５の先端部がラッチ２０に回動自在にまたは回動により押圧自在に取付けてある。
【００２０】
したがって、レバー２９を手で掴んで上に引き上げると突部２７が突出部３１を上方に移動することで回動板２８が回動し、レバー２９が引かれ、ラック部３０が移動することでピニオン３３が回転して回転縦軸３２が回動し、腕部３４が回動し、操作用突部３５が回動することで、ラッチ２０がばね２１に抗して受け用凹溝１８から出るので、この状態で手摺り９が自重により下降できるようになっている。
【００２１】
また、手摺り９の下端部には下ストッパ３９が設けてあり、手摺り９を引き上げた際に手摺り９が上方に抜けるのを防止するようになっている。
【００２２】
また、本発明においては最下段３ａ部分、下階（例えば下階の壁）、上階（例えば上階の壁）等には昇降装置１０を操作するための昇降操作部３６が設けてある。
【００２３】
しかして、上記の構成の本発明の階段２は、既に述べたように通常は図１、図２のように階段状をしており、この状態では最下段３ａの踏み板４ａが下階の床６と面一となっており、通常の階段と同様にして各段３を一段ずつ上って下階から上階に移動し、また、各段３を一段ずつ下がって上階から下階に移動するものである。
【００２４】
一方、大きな荷物を下階から上階に運んだり、身体の不自由な人や車椅子の人が下階から上階に移動する場合には、下階の床６から上階の床５に乗り（荷物がある場合には荷物も一緒に乗せる）、手摺り９を上に引き上げ、この状態で昇降操作部３６を操作して各段３をそれぞれ昇降装置１０により昇降させ、各段３の踏み板４を上階の床５と面一にする。この状態で、面一となった各段３の踏み板４を通って上階の床５に移動するものである。
【００２５】
一方、大きな荷物を上階から下階に運んだり、身体の不自由な人や車椅子の人が上階から下階に移動する場合には、上記のように各段３を上方に移動させて各段３の踏み板４を上階の床５と面一にした状態で、上階の床５から面一となった各段３の踏み板４を通って最下段３ａの踏み板４の上に乗り（荷物がある場合には荷物も一緒に乗せる）、この状態で昇降操作部３６を操作して各段３をそれぞれ昇降装置１０により昇降させて図３、図４のように隣接する階３が一段ずつ下がり且つ最下段３ａの踏み板４が下階の床６と面一となるようにし、その後、手摺り９を下げて最下段３ａの踏み板４ａから下階の床６に移動するものである。
【００２６】
なお、上記実施形態では手摺り９を手動で上下移動させている例を示しているが、電動などにより自動的に上下移動させるようにしてもよいものである。
【００２７】
ところで、階段２を図３、図４のように上昇させた状態では、同時に脱出用はしご８が展延されるようになっており、このため、図３，図４の上昇状態において、何らかの事情で図３、図４のように上昇させた階段２が下降できなくなった場合や、あるいは図３、図４の状態で緊急時に上階から下階に脱出する必要がある場合には、非常脱出用スペース７を脱出用はしご８を利用して脱出できるようになっている。
【００２８】
なお、図２の実施形態においては各段３の側部の後部には手摺り支柱４０が立設してあり、手摺り支柱４０の上端部には前方に向けて手摺り横部材４１の後端部が突設してあり、手摺り横部材４１の前端部から下方に垂下脚４２が垂設してあり、垂下脚４２は下の段３の手摺り支柱４０の上端開口から手摺り支柱４０内に没入自在にはめ込んであり、２段目の段３の垂下脚４２は最下段３ａの側部に立設した固定手摺り４３の後端部の支柱４４の上端開口から支柱４４内に没入自在にはめ込んであり、階段２の各段３を下降して階段状とした場合には各手摺り横部材４１が階段状に連続するようになっており、階段２の各段３を上降してした場合には各手摺り横部材４１が水平に連続するようになっている。
【００２９】
なお、図２、図４に示すように、床下にストッパ５０を設けて最下段３ａが下降して下階の床６と面一となった際に最下段３ａの踏み板４ａが当接して支持されるようにしてもよい。これにより最下段３ａの踏み板４ａが下階の床６と面一となって下階の床６の一部を構成している時に踏み板４ａの支持が強固となるものである。
【００３０】
【発明の効果】
上記のように本発明の請求項１記載の発明にあっては、建物の吹き抜け部に設置される階段において、該階段の各段が上下に昇降自在となり、各段がすべて上昇した状態で各段の踏み板が上階の床と面一となり、下降状態においては上階の床側の踏み板が上階の床から一段下がり且つ上階の床から離れるにしたがって一段ずつ段差ができるように階段状となり且つ階段の最下段の踏み板が下降状態で下階の床と面一となるように設定してあるので、通常の階段と同様の使用形態ができるのはもちろん、下階から上階に重い荷物を運んだり上階から下階に重い荷物を運ぶ場合や、身体が不自由な人が下階から上階に移動したり上階から下階に移動する場合は、階段の最下段に乗って各階を上昇あるいは下降させることで、下階から上階、あるいは上階から下階に簡単に移動できるものである。
【００３１】
また、請求項２記載の発明にあっては、上記請求項１記載の発明の効果に加えて、階段の最下段の踏み板を下降状態で下階の床と面一となるように設定し、この最下段の踏み板を少なくとも車椅子が乗る大きさ以上としてあるので、車椅子を最下段の踏み板上に乗せて階段の各階を上下することで、車椅子に乗って下階から上階、上階から下階に移動できるものである。
【００３２】
また、請求項３記載の発明にあっては、上記請求項１又は請求項２記載の発明の効果に加えて、階段の最下段が上昇した状態で該最下段の外周辺のうち隣接する段と接する辺以外のいずれかの辺と吹き抜け部の内壁面との間に人が昇降できる非常脱出用スペースを設け、最下段の上記非常脱出用スペースに面した最下段の辺に最下段が上昇した際に上昇し且つ最下段が下降した際に下降する脱出用はしごを設けてあるので、階段の各階を上昇させた状態で上階から下階に非常脱出する必要がある場合には非常脱出用スペースを脱出用はしごを利用して下階に脱出することができるものである。
【００３３】
また、請求項４記載の発明にあっては、上記請求項１乃至請求項３のいずれかに記載の発明の効果に加えて、階段の最下段の踏み板の下階の床への出入り用の辺に開閉自在に手摺りを設けてあるので、最下段の踏み板の上面に乗って上下に昇降する際、最下段の踏み板から下方に転落するのを手摺りにより防止できるものである。
【図面の簡単な説明】
【図１】本発明の階段の各段を下降させた状態の斜視図である。
【図２】同上の断面図である。
【図３】同上の各段を上昇させた状態の斜視図である。
【図４】同上の断面図である。
【図５】同上の平面図である。
【図６】（ａ）は同上の各段を上昇させた状態の要部斜視図であり、（ｂ）は断面図である。
【図７】同上の手摺りを下降した状態の断面図である。
【図８】同上の手摺りを上昇させた状態の断面図である。
【図９】同上のラッチを引き込ませる機構を示し、（ａ）はハンドル、レバー部分の正面断面図であり、（ｂ）はラッチ部分の水平断面図であり、（ｃ）はラッチ部分の垂直断面図である。
【符号の説明】
１　吹き抜け部
２　階段
３　段
３ａ　最下段
４　踏み板
４ａ　踏み板
５　上階の床
６　下階の床
７　非常脱出用スペース
８　脱出用はしご
９　手摺り
【図１】
2004026404.tif 000003
【図２】
2004026404.tif 000004
【図３】
2004026404.tif 000005
【図４】
2004026404.tif 000006
【図５】
2004026404.tif 000007
【図６】
2004026404.tif 000008
【図７】
2004026404.tif 000009
【図８】
2004026404.tif 000010
【図９】
2004026404.tif 000011